(57)【特許請求の範囲】
【請求項１】
基部と、
前記基部に対して回動自在に軸支された回動操作部材と、
ベルト本体を挟持する挟持部材と、を備え、
前記基部は、挟持平板部と、前記挟持平板部から所定間隔を隔てて平行に延びた第１軸部及び第２軸部と、前記第１軸部及び第２軸部から連通した第１平板部と、前記第１平板部の下方に配設され前記ベルト本体が挿通される挿通部と、を有し、
前記回動操作部材は、第２平板部と、前記第２平板部から所定間隔を隔てて平行に延びた第３軸部及び第４軸部と、前記第３軸部及び前記第４軸部からそれぞれ延出した第１延出部及び第２延出部と、
軸部材と、を有し、
前記挟持部材は、収納部材と、前記収納部材に収納されるもので第１及び第２のスプリングを有する付勢部材と、挟持部と、からなり、
前記挟持部材は、前記回動操作部材の前記第１延出部及び前記第２延出部の間に前記軸部材により固定され、前記回動操作部材が閉じられたときには、前記挟持平板部との間に挿通された前記ベルト本体を挟持し、前記回動操作部材が開かれたときには、前記挟持平板部との間に挿通された前記ベルト本体の挟持を解除し、
前記第１のスプリングの一端は前記軸部材に固定され、他端は前記収納部材に係合し、前記第２のスプリングの一端は前記軸部材に固定され、他端は前記挟持部に当接し、
前記回動操作部材が開かれたときには、前記第１のスプリングの付勢力が前記回動操作部材を閉じる方向に作用し、
前記ベルト本体の挿通により前記挟持部が回動したときには、前記第２のスプリングの付勢力が前記挟持部を前記回動とは逆の方向に回動するように作用し、
前記回動操作部材を持ち上げる操作をすると、前記回動操作部材に当接している前記収納部材の突出部が作用点となり、前記突出部と一体となっている収納部材が第１の方向に回動し、前記収納部材の回動に伴い、前記挟持部も前記第１の方向に回動し、前記挟持部による挟持が緩み、前記ベルト本体を抜き出せるようになり、
前記収納部材の前記第１の方向への回動に伴い、前記第１のスプリングの付勢力は、前記収納部材を前記第１の方向とは逆の第２の方向に戻そうとするように作用し、この付勢力が前記回動操作部材を前記第２の方向に回動させるように作用し、
前記ベルト本体を挿通すると、前記挟持部が前記第１の方向に回動し、前記挟持部に当接している前記第２のスプリングの前記他端も押し込まれ、前記第２のスプリングに元の状態に戻ろうとする付勢力が働き、この付勢力が前記第２のスプリングの前記他端より前記挟持部に作用し、前記挟持部を前記第２の方向に回動させるように作用する
ベルト用バックル。
【請求項２】
前記回動操作部材が閉じられたときには、前記回動操作部材の前記第３軸部及び第４軸部の間に、前記基部の前記第１軸部及び前記第２軸部が収まり、前記回動操作部材の前記第２平板部が、前記基部の第１平板部の上面に当接する
請求項１に記載のベルト用バックル。
【請求項３】
前記基部の前記第１軸部と前記第２軸部の間は開口部となり、前記挿通部より挿通された前記ベルト本体の外面が露呈される
請求項１又は請求項２に記載のベルト用バックル。
【請求項４】
請求項１乃至請求項３のいずれか１項に記載のベルト用バックルと、
ベルト本体と、を備えた
ベルト。
【発明の詳細な説明】
【技術分野】
【０００１】
本発明は、操作性が良好でデザイン性に富んだベルト用バックル及びベルトに関する。
【背景技術】
【０００２】
従来、衣服用のベルトは、多種多様なデザイン、機能を備えたものが多数、市場に出回っており、デザイン性や機能性は、需要者の購買動機に大きく影響している。このような市場動向の中、長尺状のベルト本体を、バックルで挟持することで、着用時のベルトの長さを位置決めし、その状態を保持するベルトは人気を呈している。
【０００３】
このような技術について、例えば、特許文献１では、ベルトに接続されるベルト接続部と、ベルト接続部から延長したベルト案内部と、バックル本体用の回動支持部と、突出部に接着されベルトの任意の部分を固定するベルト押圧部と、バックル本体をベルト接続部の方向に回動させるバネを備え、ズボンやスカートの腰部を締める時は、バックル本体を回動支持部で回動し、ベルトの先端をバックル本体に通過させて、任意の位置でバックル本体を放し、バックル本体からベルトを外す時は、バックル本体を回動して、ベルトをバックル本体から外す、ベルト用バックルが開示されている。
【先行技術文献】
【特許文献】
【０００４】
【特許文献１】特開２００７−１４４０８９号公報
【発明の概要】
【発明が解決しようとする課題】
【０００５】
しかしながら、特許文献１に開示されたものは、ベルト押圧部がベルト本体側に配設されていたので、装着者の動きによりベルトに長さ方向の伸張力がかかると、それがベルト押圧部に伝達され、ベルト本体が不意に開いてしまうおそれがあった。また、同文献に開示されたベルト用バックルは、機能性、操作性と、デザイン性を両立させることについては何ら開示も示唆もされていなかった。
【０００６】
本発明は、このような課題に鑑みてなされたものであり、その目的とするところは、機能性、操作性が良好で、デザイン性にも富んだベルト用バックル及びベルトを提供することにある。
【課題を解決するための手段】
【０００７】
上記課題を解決すべく、本発明の一態様に係るベルト用バックルは、基部と、前記基部に対して回動自在に軸支された回動操作部材と、ベルト本体を挟持する挟持部材と、を備え、前記基部は、挟持平板部と、前記挟持平板部から所定間隔を隔てて平行に延びた第１軸部及び第２軸部と、前記第１軸部及び第２軸部から連通した第１平板部と、前記第１平板部の下方に配設され前記ベルト本体が挿通される挿通部と、を有し、前記回動操作部材は、第２平板部と、前記第２平板部から所定間隔を隔てて平行に延びた第３軸部及び第４軸部と、前記第３軸部及び前記第４軸部からそれぞれ延出した第１延出部及び第２延出部と、軸部材と、を有し、前記挟持部材は、収納部材と、前記収納部材に収納されるもので第１及び第２のスプリングを有する付勢部材と、挟持部と、からなり、前記挟持部材は、前記回動操作部材の前記第１延出部及び前記第２延出部の間に前記軸部材により固定され、前記回動操作部材が閉じられたときには、前記挟持平板部との間に挿通された前記ベルト本体を挟持し、前記回動操作部材が開かれたときには、前記挟持平板部との間に挿通された前記ベルト本体の挟持を解除し、前記第１のスプリングの一端は前記軸部材に固定され、他端は前記収納部材に係合し、前記第２のスプリングの一端は前記軸部材に固定され、他端は前記挟持部に当接し、前記回動操作部材が開かれたときには、前記第１のスプリングの付勢力が前記回動操作部材を閉じる方向に作用し、前記ベルト本体の挿通により前記挟持部が回動したときには、前記第２のスプリングの付勢力が前記挟持部を前記回動とは逆の方向に回動するように作用し、前記回動操作部材を持ち上げる操作をすると、前記回動操作部材に当接している前記収納部材の突出部が作用点となり、前記突出部と一体となっている収納部材が第１の方向に回動し、前記収納部材の回動に伴い、前記挟持部も前記第１の方向に回動し、前記挟持部による挟持が緩み、前記ベルト本体を抜き出せるようになり、前記収納部材の前記第１の方向への回動に伴い、前記第１のスプリングの付勢力は、前記収納部材を前記第１の方向とは逆の第２の方向に戻そうとするように作用し、この付勢力が前記回動操作部材を前記第２の方向に回動させるように作用し、前記ベルト本体を挿通すると、前記挟持部が前記第１の方向に回動し、前記挟持部に当接している前記第２のスプリングの前記他端も押し込まれ、前記第２のスプリングに元の状態に戻ろうとする付勢力が働き、この付勢力が前記第２のスプリングの前記他端より前記挟持部に作用し、前記挟持部を前記第２の方向に回動させるように作用する。
【０００９】
さらに、この態様において、前記回動操作部材が閉じられたときには、前記回動操作部材の前記第３軸部及び第４軸部の間に、前記基部の前記第１軸部及び前記第２軸部が収まり、前記回動操作部材の前記第２平板部が、前記基部の第１平板部の上面に当接する。
【００１０】
さらに、この態様において、前記基部の前記第１軸部と前記第２軸部の間は開口部となり、前記挿通部より挿通された前記ベルト本体の外面が露呈される。
【００１１】
このほか、上記ベルト用バックルと、ベルト本体とを備えたベルトも提供される。
【発明の効果】
【００１２】
本発明によれば、機能性、操作性が良好で、デザイン性にも富んだベルト用バックル及びベルトを提供することができる。
【図面の簡単な説明】
【００１３】
【図１】本発明の第１実施形態に係るベルトの構成図である。
【図２】同ベルトの分解斜視図である。
【図３】同ベルトの一部断面図である。
【図４】同ベルトの一部断面図である。
【図５】本発明の第２実施形態に係るベルトの分解斜視図である。
【図６】同ベルトの開閉動作を説明する図である。
【図７】同ベルトの開閉動作を説明する図である。
【図８】同ベルトの開閉動作を説明する図である。
【発明を実施するための形態】
【００１４】
以下、図面を参照しつつ本発明の実施形態について説明する。
【００１５】
＜第１実施形態＞
【００１６】
図１には、本発明の第１実施形態に係るベルト用のバックル及びベルトの構成を示し、図２には、同ベルト用バックルの分解斜視図を示し、構成及び作用を説明する。
【００１７】
同図に示されるように、本発明の第１実施形態に係るベルト用バックル１は、基部３と、基部３に対して軸部材８により回動自在に軸支された回動操作部材２と、ベルト本体９を挟持する挟持部材４とで構成されている。
【００１８】
基部３は、挿通されたベルト本体９の一方の面に当接し、挟持部材４と共に当該ベルト本体９を挟持する役割を担う挟持平板部３ｃを備えている。挟持平板部３ｃからは２本の軸部３ｄ、３ｅがそれぞれ延びている。この軸部３ｄ、３ｅの間は、開口された空間となるので、当該開口からは、挿通されたベルト本体９が露呈する。
【００１９】
基部３の軸部３ｄ、３ｅの一端は平板部３ａに連続しており、当該平板部３ａの下面側には、装着時にベルト本体９を挿通するための挿通部３ｂが設けられている。挟持平板部３ｃの両端からは、開口部３ｈ、３ｉが形成された延出部３ｆ、３ｇがそれぞれ延出しており、各延出部３ｆ、３ｇからは、脚部３ｊ、３ｋがそれぞれ延びている。脚部３ｊ、３ｋの先端は、ベルト本体９の一端が接続される軸部３ｌに接続されている。
【００２０】
回動操作部材２は、平板部２ｃを備えており、平板部２ｃからは、所定間隔隔てて平行に２本の軸部２ａ、２ｂが延びている。各軸部２ａ，２ｂの、前記平板部２ｃ側とは反対側の端部側には、下方に向けて延出部２ｅ、２ｆが延びている。この延出部２ｅ，２ｆには、軸部材８が挿通される開口部２ｇ、２ｈが形成されている。さらに、平板部２ｃの内側の一辺には、開閉操作時に装着者が指を掛けるための操作用突出部２ｄが形成されている。開閉操作時には、装着者は、この操作用突出部２ｄに指をかけて、操作すればよいので操作性は極めて良好である。
【００２１】
回動操作部材２において、２つの軸部２ａ、２ｂの間は、開口された空間となっているので、前述した基部３の開口された空間と相まって、挿通されたベルト本体９が露呈されることになる。これは、ベルトのデザイン性の向上に大きく寄与するものである。軸部２ａ、２ｂの間隔は、基部３の軸部３ｄ、３ｅを内包するサイズとなっているので、回動操作部材２を閉じたときには、基部３と回動操作部材２にデザイン上の一体感が生まれると共に、回動操作部材２が、軸部２ａ、２ｂの長手方向に垂直な方向、つまり平板部２ｃの長手方向に不意にずれてしまう事態も防止することができる。
【００２２】
挟持部材４は、挟持部５と、付勢部材６と、収納部材７とからなる。
【００２３】
挟持部５は、略円筒状の挟持部本体５ａと、当該挟持部本体５ａから突出した先端がこの例ではギザ形状の挟持用突出部５ｂとからなり、挟持部本体５ａには、軸部材８を挿通するための開口部５ｃが設けられている。
【００２４】
付勢部材６は、弾性部材としてのスプリング６ａ、６ｂとワッシャー６ｃとで構成されている。ワッシャー６は、２つのスプリング６ａ，６ｂの一端が係合され、付勢力を分散する役割を担っており、スプリング６ａ、６ｂの他端は、収納部材７に係合するように突出している。但し、これらには限定されない。
【００２５】
そして、収納部材７は、円弧状の周面を有する収納部７ｅと、当該収納部７ｅの両端に設けられた略円形の端部７ａ、７ｂと、当該収納部７ｅの長手状の一辺より突出するように接続された係止部７ｆとで構成されている。
【００２６】
挟持部材４では、挟持部５の挟持部本体５ａが収納部材７の収納部７ｅに収納されるときに、付勢部材６のスプリング６ａ、６ｂにより、その両端が収納部材７の係止部７ｆに係止されることで、初期状態に対する復元力が付与される。
【００２７】
このような構成要素を備えるベルト用バックル１は、基部３の延出部３ｆ、３ｇの開口部３ｈ、３ｉと、回動操作部材２の延出部２ｅ、２ｆの開口部２ｇ、２ｈと、が合致するように、両者を重ね合わせた上で、これら開口部と挟持部５の開口部５ｃと、収納部７の開口部７ｃ、７ｄが全て合致するように位置決めして、軸部材８をそれら開口部の中に挿通し固着させることで、構成されることになる。
【００２８】
ここで、図３及び図４には、本発明の第１実施形態に係るベルト用バックル及びベルトの一部断面図を示し、バックルの開閉動作に伴うベルト本体の挟持及びその解除について説明する。詳細には、図３は回動操作部材２を基部３に対して閉じた状態を示し、図４は回動操作部材２を基部３に対して開いた状態を示している。
【００２９】
図３に示されるように、回動操作部材２が基部３に対して閉じられた状態では、回動操作部材２の軸部２ａ、２ｂが、基部３の軸部３ｄ，３ｅを内包し、軸部３ｄ，３ｅの間に形成される開口された空間が、バックル１自体の開口となり、挿通されたベルト本体９の表面が露呈されることになる。このような内包する関係、露呈される構成は、バックル１自体のデザイン性の向上の大きく寄与している。閉じた状態では、挟持部材４の挟持部５の挟持用突出部５ｂと基部３の挟持平板部３ｃにより、ベルト本体９がしっかりと挟持され、位置関係が固定される。
【００３０】
一方、図４に示されるように、回動操作部材２が基部３に対して開かれた状態では、回動操作部材２の軸部２ａ、２ｂによる、基部３の軸部３ｄ，３ｅの内包が解除され、挟持部材４の挟持部５の挟持用突出部５ｂと、基部３の挟持平板部３ｃと、によるベルト本体９の挟持が解除され、ベルト本体９の保持位置が調整可能となる。
【００３１】
以上説明したように、本発明の第１実施形態に係るベルト用バックルは、基部３と、基部３に対して回動自在に軸支された回動操作部材２と、ベルト本体９を挟持する挟持部材４とを備えている。そして、基部３は、挟持平板部３ｃと、挟持平板部３ｃから所定間隔を隔てて平行に延びた第１軸部３ｄ及び第２軸部３ｅと、第１軸部３ｄ及び第２軸部３ｅから連通した第１平板部３ａと、第１平板部３ａの下方に配設されベルト本体９が挿通される挿通部３ｂとを有する。回動操作部材２は、第２平板部２ｃと、第２平板部２ｃから所定間隔を隔てて平行に延びた第３軸部２ａ及び第４軸部２ｂと、第３軸部２ａ及び第４軸部２ｂからそれぞれ延出した第１延出部２ｅ及び第２延出部２ｆとを有している。挟持部材４は、回動操作部材２の第１延出部２ｅ及び第２延出部２ｆの間に軸部材８により固定され、回動操作部材２が閉じられたときには、挟持平板部３ｃとの間に挿通されたベルト本体９を挟持する。一方、回動操作部材２が開かれたときには、挟持平板部３ｃとの間に挿通されたベルト本体９の挟持を解除する。
【００３２】
したがって、回動操作部材２の開閉操作により、ベルト本体９の挟持／挟持解除を簡易に実施することができる。しかも、上記軸部３ｄ、３ｅの間には、開口された空間ができるので、挿通されたベルト本体９のデザインをバックル１のデザインの一部とすることができる。更に、軸部３ｄ、３ｅを軸部２ａ、２ｂが内包するような位置関係になるので、ベルト全体のデザインの一体感が高められることになる。
【００３３】
さらに、回動操作部材２が閉じられたときには、回動操作部材２の第３軸部２ａ及び第４軸部２ｂの間に、基部３の第１軸部３ｄ及び第２軸部３ｅが収まり、回動操作部材２の第２平板部２ｃが、基部３の第１平板部３ａの上面に当接する。したがって、閉じた状態を安定的に維持することができるので、着用者が激しい運動をした場合であっても、バックルが不意に開いてしまう事態を防止することができる。
【００３４】
そして、基部３の第１軸部３ｄと第２軸部３ｅの間は開口部となり、挿通部３ｂより挿通されたベルト本体９の外面が露呈される。したがって、ベルト本体９の表面のデザインをバックル自体のデザインの一部とすることができるので、デザイン性にバリエーションを簡易に持たせることが可能となる。
【００３５】
また、挟持部材４は、収納部材７と、収納部材７に収納される付勢部材６と、付勢部材６が係合し付勢部材６により復元力が与えられる挟持部５とからなる。したがって、簡易な構成により、挟持部材４を実現することが可能となる。
【００３６】
＜第２実施形態＞
【００３７】
本発明の第２実施形態に係るベルト用のバックル及びベルトの構成は、先に図１で示した構成と略同様であるが、挟持部と付勢部材と収納部材とからなる挟持部材の構成が異なっている。そこで、図５は、本発明の第２実施形態に係るベルト用バックルの分解斜視図を示し、各部の構成及び作用を説明する。尚、先に説明した第１実施形態と同一構成については、同一符号を用いて説明を進めることにする。
【００３８】
図１、図５に示されるように、本発明の第１実施形態に係るベルト用バックル１０は、基部３と、基部３に対して軸部材１８により回動自在に軸支された回動操作部材２と、ベルト本体９を挟持する挟持部材１４とで構成されている。
【００３９】
基部３は、挿通されたベルト本体９の一方の面に当接し、挟持部材１４と共に当該ベルト本体９を挟持する役割を担う挟持平板部３ｃを備えている。挟持平板部３ｃからは２本の軸部３ｄ、３ｅがそれぞれ延びている。この軸部３ｄ、３ｅの間は、開口された空間となるので、当該開口からは、挿通されたベルト本体９が露呈する。
【００４０】
基部３の軸部３ｄ、３ｅの一端は平板部３ａに連続しており、当該平板部３ａの下面側には、装着時にベルト本体９を挿通するための挿通部３ｂが設けられている。挟持平板部３ｃの両端からは、開口部３ｈ、３ｉが形成された延出部３ｆ、３ｇがそれぞれ延出しており、各延出部３ｆ、３ｇからは、脚部３ｊ、３ｋがそれぞれ延びている。脚部３ｊ、３ｋの先端は、ベルト本体９の一端が接続される軸部３ｌに接続されている。
【００４１】
回動操作部材２は、平板部２ｃを備えており、平板部２ｃからは、所定間隔隔てて平行に２本の軸部２ａ、２ｂが延びている。各軸部２ａ，２ｂの、前記平板部２ｃ側とは反対側の端部側には、下方に向けて延出部２ｅ、２ｆが延びている。この延出部２ｅ，２ｆには、軸部材８が挿通される開口部２ｇ、２ｈが形成されている。さらに、平板部２ｃの内側の一辺には、開閉操作時に装着者が指を掛けるための操作用突出部２ｄが形成されている。開閉操作時には、装着者は、この操作用突出部２ｄに指をかけて、操作すればよいので操作性は極めて良好である。
【００４２】
回動操作部材２において、２つの軸部２ａ、２ｂの間は、開口された空間となっているので、前述した基部３の開口された空間と相まって、挿通されたベルト本体９が露呈されることになる。これは、ベルトのデザイン性の向上に大きく寄与するものである。軸部２ａ、２ｂの間隔は、基部３の軸部３ｄ、３ｅを内包するサイズとなっているので、回動操作部材２を閉じたときには、基部３と回動操作部材２にデザイン上の一体感が生まれると共に、回動操作部材２が、軸部２ａ、２ｂの長手方向に垂直な方向、つまり平板部２ｃの長手方向に不意にずれてしまう事態も防止することができる。
【００４３】
一方、挟持部材１４は、挟持部１５と、付勢部材１６と、収納部材１７とからなる。
【００４４】
挟持部１５は、略円筒状の挟持部本体１５ａと、当該挟持部本体１５ａから突出した先端が本例ではギザ形状の挟持用突出部１５ｂと、挟持用突出部１５ｂの挟持部本体１５ａとは反対側に設けられた付勢用突出部１５ｄとからなり、挟持部本体１５ａには、軸部材１８を挿通するための開口部１５ｃが設けられている。
【００４５】
付勢部材１６は、弾性部材としてのスプリング１６ａ、１６ｂとワッシャー１６ｃとで構成されている。ワッシャー１６は、２つのスプリング１６ａ，１６ｂの間に介在し、付勢力を分散する役割を担っている。スプリング１６ａの突出端１６ａ−１は、収納部材１７の収納部１７ｅに設けられた切欠部１７ｅ−１に係止される。スプリング１６ｂの突出端１６ｂ−１は、挟持部１５の付勢用突出部１５ｄの底面を付勢する。スプリング１６ａ、１６ｂの突出端１６ａ−１、１６ｂ−１とは反対側の端は、軸部材１８の周面に長手方向に直線状に形成された溝１８ｃに係止している。
【００４６】
収納部材１７は、円弧状の周面を有する収納部１７ｅと、当該収納部１７ｅの両端に設けられた略円形の端部１７ａ、１７ｂと、当該端部１７ａ、１７ｂより外側に向けて延出した係止部１７ｇとで構成されている。そして、端部１７ａ、１７ｂには、軸部材１８を挿通するための開口部１７ｃ，１７ｄが設けられている。
【００４７】
軸部材１８は、略円筒形状であり、両端には係止ピン１９ａ，１９ｂを嵌合させるための開口部１８ａ，１８ｂが形成されており、周面には、長手方向に、直線状の溝１８ｃが形成されている。この軸部材１８の溝１８ｃは、前述したように、スプリング１６ａ，１６ｂの一端を係止するためのものである。
【００４８】
このような構成要素を備えるベルト用バックル１０は、基部３の延出部３ｆ、３ｇの開口部３ｈ、３ｉと、回動操作部材２の延出部２ｅ、２ｆの開口部２ｇ、２ｈと、が合致するように、両者を重ね合わせた上で、これら開口部と挟持部１５の開口部１５ｃと、収納部１７の開口部１７ｃ、１７ｄが全て合致するように位置決めして、軸部材１８をそれら開口部の中に挿通し、係止ピン１９ａ，１９ｂで係止することで、一体に構成される。
【００４９】
このとき、２つのスプリング１６ａ，１６ｂの間にワッシャー１６ｃを介在させることでスプリング１６ａ，１６ｂの付勢力を分散する。そして、図６に示されるように、スプリング１６ａの突出端１６ａ−１は、収納部材１７の収納部１７ｅに設けられた切欠部１７ｅ−１に係止させ、他端は軸部材１８の溝１８ｃに係止させる。
【００５０】
そして、図７、図８に示されるように、スプリング１６ｂの突出端１６ｂ−１を、挟持部１５の付勢用突出部１５ｄの底面に当接させ、当該底面よりスプリング１６が挟持部１５の付勢用突出部１５ｄを付勢する位置関係とする。スプリング１６ｂの突出端１６ａ−１とは反対側の端は、軸部材１８の周面に長手方向に直線状に形成された溝１８ｃに係止させる。尚、図６乃至８では、スプリング１６ａ，１６ｂの作用を説明する便宜上、基部３の図示を省略している。また、回動操作部材２の構成の図示を簡略化しているが、実際には図５と同様の構成となっていることは勿論である。
【００５１】
図６を再び参照して、回動操作部材２の開閉に伴う、付勢力の作用を説明すると、回動操作部材２を持ち上げる操作をすると、回動操作部材２に当接している突出部１７ｇが作用点となり、当該突出部１７ｇと一体となっている収納部材１７が図中矢印Ａで示す方向に回転する。この収納部材７の回転に伴い、挟持部１５も図中矢印Ａで示す方向に回転することから、挟持用突出部１５ｂによる挟持が緩み、ベルト本体９を抜き出せるようになる。この状態において、スプリング１６ａは、突出端１６ａ−１が収納部材１７の収納部１７ｅの切欠部１７ｅ−１に係止しており、他端が軸部材１８の溝１８ｃに係止しているので、収納部材１７を元の状態に戻そうとする付勢力が働き、この付勢力が回動操作部材２を図中矢印Ｂの方向に回転させるように作用することになる。即ち、回動操作部材２を閉じた状態となるように付勢力が作用することになる。
【００５２】
更に、図７、図８を再び参照して、ベルト本体９の挿通に伴う付勢力の作用について説明すると、ベルト本体９を挿通すると、それにより挟持部１５が図中矢印Ａで示す方向に回転するが、それにより挟持部１５の付勢用突出部１５ｄの底面に当接しているスプリング１６ｂの突出端１６ｂ−１も押し込まれる。スプリング１６ｂには、元の状態に戻ろうとする付勢力が働き、その付勢力がスプリング１６ｂの突出端１６ｂ−１より付勢用突出部１５ｄの底面に作用し、挟持部１５を図中符号Ｂで示す方向に回転させるように作用する。これにより、ベルト本体９は、挟持部１５と挟持平板部３ｃとの間に挟持され、位置固定されることになる。
【００５３】
以上説明したように、本発明の第２実施形態に係るベルト用バックル１０は、基部３と、前記基部３に対して回動自在に軸支された回動操作部材２と、ベルト本体９を挟持する挟持部材１４と、を備え、前記基部３は、挟持平板部３ｃと、前記挟持平板部から所定間隔を隔てて平行に延びた第１軸部３ｄ及び第２軸部３ｅと、前記第１軸部及び第２軸部から連通した第１平板部３ａと、前記第１平板部の下方に配設され前記ベルト本体が挿通される挿通部３ｂと、を有し、前記回動操作部材２は、第２平板部２ｃと、前記第２平板部から所定間隔を隔てて平行に延びた第３軸部２ａ及び第４軸部２ｂと、前記第３軸部及び前記第４軸部からそれぞれ延出した第１延出部２ｅ及び第２延出部２ｆと、軸部材１８と、を有し、前記挟持部材１４は、収納部材１６と、前記収納部材に収納されるもので第１及び第２のスプリング１６ａ，１６ｂを有する付勢部材１６と、挟持部１５と、からなり、前記挟持部材１４は、前記回動操作部材２の前記第１延出部２ｅ及び前記第２延出部２ｆの間に前記軸部材１８により固定され、前記回動操作部材２が閉じられたときには、前記挟持平板部３ｃとの間に挿通された前記ベルト本体９を挟持し、前記回動操作部材２が開かれたときには、前記挟持平板部３ｃとの間に挿通された前記ベルト本体９の挟持を解除し、前記第１のスプリング１６ａの一端は前記軸部材１８に固定され、他端は前記収納部材１７に係合し、前記第２のスプリング１６ｂの一端は前記軸部材１８に固定され、他端は前記挟持部１５に当接し、前記回動操作部材２が開かれたときには、前記第１のスプリング１６ａの付勢力が前記回動操作部材２を閉じる方向に作用し、前記ベルト本体９の挿通により前記挟持部１５が回動したときには、前記第２のスプリング１６ｂの付勢力が前記挟持部１５を前記回動とは逆の方向に回動するように作用する。
【００５４】
従って、第１のスプリング１６ａにより、回動操作部材２を開いたときに、それを閉じるような付勢力が作用し、第２のスプリング１６ｂにより、挟持部１５が回転したときに、それを元に戻そうとする付勢力が働くので、それぞれの操作に対して独立した回動操作を自動的に行うことが可能となるので、操作性が極めて良好である。
【００５５】
より詳細には、前記回動操作部材２を持ち上げる操作をすると、前記回動操作部材に当接している前記収納部材１７の突出部１７ｇが作用点となり、前記突出部と一体となっている収納部材が第１の方向（Ａ）に回動し、前記収納部材の回動に伴い、挟持部１５も前記第１の方向（Ａ）に回動し、前記挟持部による挟持が緩み、前記ベルト本体９を抜き出せるようになり、前記収納部材１７の前記第１の方向（Ａ）への回動に伴い、前記第１のスプリング１６ａの付勢力は、前記収納部材１７を前記第１の方向（Ａ）とは逆の第２の方向（Ｂ）に戻そうとするように作用し、この付勢力が前記回動操作部材２を前記第２の方向（Ｂ）に回動させるように作用し、前記ベルト本体９を挿通すると、前記挟持部１５が前記第１の方向（Ａ）に回動し、前記挟持部１５の付勢用突出部１５ｄの底面に当接している前記第２のスプリング１６ｂの前記他端１６ｂ−１も押し込まれ、前記第２のスプリング１６に元の状態に戻ろうとする付勢力が働き、この付勢力が前記第２のスプリング１６の前記他端１６ｂ−１より前挟持部１５に作用し、前記挟持部１５を前記第２の方向（Ｂ）に回動させるように作用する。
【００５６】
ここで、回動操作部材２が閉じられたときには、回動操作部材２の第３軸部２ａ及び第４軸部２ｂの間に、基部３の第１軸部３ｄ及び第２軸部３ｅが収まり、回動操作部材２の第２平板部２ｃが、基部３の第１平板部３ａの上面に当接する。したがって、閉じた状態を安定的に維持することができるので、着用者が激しい運動をした場合であっても、バックルが不意に開いてしまう事態を防止することができる。
【００５７】
さらに、基部３の第１軸部３ｄと第２軸部３ｅの間は開口部となり、挿通部３ｂより挿通されたベルト本体９の外面が露呈される。したがって、ベルト本体９の表面のデザインをバックル自体のデザインの一部とすることができるので、デザイン性にバリエーションを簡易に持たせることが可能となる。
【００５８】
そして、これらベルト用バックル１０と、ベルト本体９とを備えたベルトも提供されることになる。
【００５９】
以上、本発明の第１及び第２実施形態について説明したが、本発明はこれに限定されることなく、その趣旨を逸脱しない範囲で種々の改良・変更が可能である。
【００６０】
例えば、上記実施形態では、挟持用突出部として、ギザ状のものを採用していたが、これには限定されず、挟持時にベルト本体にダメージを与えないように、合成皮革等で表面を被覆したものを採用してもよいことは勿論である。
【符号の説明】
【００６１】
１…バックル、２…回動操作部材、２ａ…軸部、２ｂ…軸部、２ｃ…平板部、２ｄ…操作用突出部、２ｅ…延出部、２ｆ…延出部、２ｇ…開口部、２ｈ…開口部、３…基部、３ａ…平板部、３ｂ…挿通部、３ｃ…挟持平板部、３ｄ…軸部、３ｅ…軸部、３ｆ…延出部、３ｇ…延出部、３ｈ…開口部、３ｉ…開口部、３ｊ…脚部、３ｋ…脚部、３ｌ…軸部、４…挟持部材、５…挟持部、５ａ…挟持部本体、５ｂ…挟持用突出部、５ｃ…開口部、６…付勢部材、６ａ…スプリング、６ｂ…スプリング、６ｃ…ワッシャー、７…収納部材、７ａ…端部、７ｂ…端部、７ｃ…開口部、７ｄ…開口部、７ｅ…収納部、７ｆ…係止部、８…軸部材、９…ベルト本体、１０…バックル、１４…挟持部材、１５…挟持部、１５ａ…挟持部本体、１５ｂ…挟持用突出部、１５ｃ…開口部、１５ｄ…付勢用突出部、１６…付勢部材、１６ａ…スプリング、１６ａ−１…突出端、１６ｂ…スプリング、１６ｂ−１…突出端、１６ｃ…ワッシャー、１７…収納部材、１７ａ…端部、１７ｂ…端部、１７ｃ…開口部、１７ｄ…開口部、１７ｅ…収納部、１７ｆ…係止部、１７ｇ…突出部、１８…軸部材、１９ａ，１９ｂ…係止ピン。
【要約】
【課題】機能性、操作性が良好なバックル及びベルトを提供する。
【解決手段】本発明は、挟持部材１４は、収納部材１５と、収納部材１５に収納されるもので第１及び第２のスプリング１６ａ，１６ｂを有する付勢部材１６と、挟持部１５とからなり、回動操作部材２が開かれたときには、挟持平板部３ｃとの間に挿通されたベルト本体９の挟持を解除し、第１のスプリング１６ａの一端は軸部材１９に固定され、他端は収納部材１７に係合し、第２のスプリング１６ｂの一端は軸部材１９に固定され、他端は挟持部１５に当接し、回動操作部材２が開かれたときには、第１のスプリング１６ａの付勢力が回動操作部材２を閉じる方向に作用し、ベルト本体９の挿通により挟持部１５が回動したときには、第２のスプリング１６ｂの付勢力が挟持部１５を前記回動とは逆の方向に回動するように作用するベルト用バックルである。
【選択図】図５【図１】
0006774076.tif 000002
【図２】
0006774076.tif 000003
【図３】
0006774076.tif 000004
【図４】
0006774076.tif 000005
【図５】
0006774076.tif 000006
【図６】
0006774076.tif 000007
【図７】
0006774076.tif 000008
【図８】
0006774076.tif 000009